【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
鉱油からなる硫黄含有量０．０３重量％以下の基油に少なくとも、組成物の全重量に基づき、
ａ）アルケニルもしくはアルキルこはく酸イミドあるいはその誘導体である無灰性分散剤が窒素含有量換算値で０．０１〜０．３重量％、
ｂ）非硫化のアルキルサリチル酸のアルカリ金属塩もしくはアルカリ土類金属塩およびマンニッヒ塩基構造を有する非硫化のアルキルフェノール誘導体のアルカリ金属塩もしくはアルカリ土類金属塩からなる群より選ばれる硫黄含有量が３％以下で全塩基価１０〜３５０ｍｇＫＯＨ／ｇの金属含有清浄剤が硫酸灰分換算値で０．１〜１重量％、
ｃ）炭素原子数３〜１８の第二級アルコールから誘導される第二級アルキル基を有するジアルキルジチオリン酸亜鉛が、リン含有量換算値で０．０１〜０．１重量％、そして
ｄ）酸化防止性のフェノール化合物および／または酸化防止性のアミン化合物が０．０１〜５重量％、
の量にて溶解もしくは分散されていて、組成物の全重量に基づき、硫酸灰分量が０．１〜１重量％の範囲、リン含有量が０．０１〜０．１重量％の範囲、そして硫黄含有量が０．０１〜０．３重量％の範囲にあって、塩素含有量が４０ｐｐｍ以下であり、さらに金属含有清浄剤に含まれる有機酸金属塩が組成物中に０．２〜７重量％存在することを特徴とするディーゼルエンジン用の潤滑油組成物。
【請求項２】
ｂ）成分の金属含有清浄剤が、全塩基価３０〜３００ｍｇＫＯＨ／ｇの非硫化のアルキルサリチル酸のアルカリ金属塩もしくはアルカリ土類金属塩であることを特徴とする請求項１に記載の潤滑油組成物。
【請求項３】
金属含有清浄剤が、全塩基価３０〜１００ｍｇＫＯＨ／ｇの非硫化のアルキルサリチル酸のアルカリ金属塩もしくはアルカリ土類金属塩であることを特徴とする請求項２に記載の潤滑油組成物。
【請求項４】
ｂ）成分の金属含有清浄剤が、炭素−窒素結合を有する有機酸あるいはフェノール誘導体のアルカリ金属塩もしくはアルカリ土類金属塩であることを特徴とする請求項１に記載の潤滑油組成物。
【請求項５】
ｂ）成分の金属含有清浄剤が、マンニッヒ塩基構造を有する非硫化のアルキルフェノール誘導体のアルカリ金属塩もしくはアルカリ土類金属塩であることを特徴とする請求項４に記載の潤滑油組成物。
【請求項６】
ａ）成分の無灰性分散剤が、塩素含有量が３０重量ｐｐｍ以下の無灰性分散剤であることを特徴とする請求項１乃至５のうちのいずれかの項に記載の潤滑油組成物。
【請求項７】
無灰性分散剤が、ポリブテンと無水マレイン酸とを原料とし、塩素もしくは塩素含有化合物を接触させることのない熱反応法により得られるポリブテニルこはく酸無水物をポリアミンと反応させて得られるこはく酸イミドあるいはその誘導体であることを特徴とする請求項６に記載の潤滑油組成物。
【請求項８】
組成物の全重量に基づくリン含有量が０．０６重量％以下であることを特徴とする請求項１乃至７のうちのいずれかの項に記載の潤滑油組成物。
【請求項９】
組成物の全重量に基づく硫黄含有量が０．１５重量％以下であることを特徴とする請求項１乃至８のうちのいずれかの項に記載の潤滑油組成物。
【請求項１０】
ｄ）成分がヒンダードフェノール化合物および／またはジアリールアミン化合物であることを特徴とする請求項１乃至９のうちのいずれかの項に記載の潤滑油組成物。
【請求項１１】
さらに、モリブデン含有化合物を０．０１〜５重量％含有することを特徴とする請求項１乃至１０のうちのいずれかの項に記載の潤滑油組成物。
【請求項１２】
さらに、アルカリ金属ホウ酸塩水和物を０．０１〜５重量％を含有することを特徴とする請求項１乃至１１のうちのいずれかの項に記載の潤滑油組成物。
【請求項１３】
さらに粘度指数向上剤を含有するマルチグレードエンジン油である請求項１乃至１２のうちのいずれかの項に記載の潤滑油組成物。
【請求項１４】
基油の硫黄含有量が０．００５重量％以下である請求項１乃至１３のうちのいずれかの項に記載の潤滑油組成物。
【請求項１５】
パティキュレートフィルタと酸化触媒を用いる排ガス浄化装置を備えたディーゼルエンジン搭載車用のエンジン潤滑用である請求項１乃至１４のうちのいずれかの項に記載の潤滑油組成物。
【手続補正２】
【補正対象書類名】明細書
【補正対象項目名】０００８
【補正方法】変更
【補正の内容】
【０００８】
本発明者は鋭意研究を重ねた結果、低灰分化、低リン化、かつ低硫黄化を行ないながらも、潤滑油組成物中に、特定の無灰系酸化防止剤を添加し、さらに金属系清浄剤（特定の金属成分含有清浄剤）に含まれる有機酸金属塩（いわゆる石鹸成分もしくはソープ成分）を特定範囲の量にて存在させることにより、高温清浄性や酸化安定性を高いレベルに維持することを可能にする潤滑油組成物の配合を見出した。本発明は、この新規な知見に基づき完成されたものである。
従って、本発明は、鉱油からなる硫黄含有量０．０３重量％以下（好ましくは０．００５重量％以下）の基油に少なくとも、組成物の全重量に基づき、
ａ）アルケニルもしくはアルキルこはく酸イミドあるいはその誘導体である無灰性分散剤が窒素含有量換算値で０．０１〜０．３重量％、
ｂ）非硫化のアルキルサリチル酸のアルカリ金属塩もしくはアルカリ土類金属塩およびマンニッヒ塩基構造を有する非硫化のアルキルフェノール誘導体のアルカリ金属塩もしくはアルカリ土類金属塩からなる群より選ばれる硫黄含有量が３％以下で全塩基価１０〜３５０ｍｇＫＯＨ／ｇの金属含有清浄剤が硫酸灰分換算値で０．１〜１重量％、
ｃ）炭素原子数３〜１８の第二級アルコールから誘導される第二級アルキル基を有するジアルキルジチオリン酸亜鉛が、リン含有量換算値で０．０１〜０．１重量％、そして
ｄ）酸化防止性のフェノール化合物および／または酸化防止性のアミン化合物が０．０１〜５重量％、
の量にて溶解もしくは分散されていて、組成物の全重量に基づき、硫酸灰分量が０．１〜１重量％の範囲、リン含有量が０．０１〜０．１重量％の範囲、そして硫黄含有量が０．０１〜０．３重量％の範囲にあって、塩素含有量が４０ｐｐｍ以下であり、さらに金属含有清浄剤に含まれる有機酸金属塩が組成物中に０．２〜７重量％存在することを特徴とするディーゼルエンジン用の潤滑油組成物にある。
【手続補正３】
【補正対象書類名】明細書
【補正対象項目名】００１４
【補正方法】変更
【補正の内容】
【００１４】
本発明の潤滑油組成物における基油としては、通常、１００℃における動粘度が２〜５０ｍｍ2／ｓの鉱油が用いられる。この鉱油の種類、あるいはその他の性状については特に制限はないが、基油として、硫黄含有量は０．０３重量％以下であることが望ましく、特に０．００５重量％以下であることが望ましい。
【手続補正４】
【補正対象書類名】明細書
【補正対象項目名】００１６
【補正方法】変更
【補正の内容】
【００１６】
本発明の潤滑油組成物における基油は、単独で使用することができるが、所望により二種以上組合せて使用してもよい。
【手続補正５】
【補正対象書類名】明細書
【補正対象項目名】００１７
【補正方法】変更
【補正の内容】
【００１７】
一般に合成油は実質的に硫黄分を含まず、酸化安定性、耐熱性に優れ、いったん燃焼すると残留炭素や煤の生成が少ない。
【手続補正６】
【補正対象書類名】明細書
【補正対象項目名】００１８
【補正方法】変更
【補正の内容】
【００１８】
本発明の潤滑油組成物における基油は、合成油（合成潤滑油基油）との混合物であってもよい。